(57)【要約】【課題】チャンネルスキャンを高速に行う手段を備える地上デジタルテレビジョン放送受信装置を提供する。【解決手段】地上デジタルテレビジョン放送信号を受信する第１の受信手段と、前記第１の受信手段での地上デジタルテレビジョン放送信号の有無を検出する第１の信号検出手段と、チャンネルリストを記憶する記憶手段と、前記第１の受信手段、前記第１の信号検出手段及び前記記憶手段を制御する制御手段とを備え、前記制御手段は、前記記憶手段に記憶されたチャンネルを前記第１の受信手段において選局させ、前記信号検出手段において当該チャンネルの地上デジタルテレビジョン放送信号が検出されなかった場合に、当該チャンネルは地上デジタルテレビジョン放送チャンネルではないと判断する。【選択図】  図１
2004282211.tif 000002
【特許請求の範囲】
【請求項１】
地上デジタルテレビジョン放送信号を受信する第１の受信手段と、前記第１の受信手段での地上デジタルテレビジョン放送信号の有無を検出する第１の信号検出手段と、チャンネルリストを記憶する記憶手段と、前記第１の受信手段、前記第１の信号検出手段及び前記記憶手段を制御する制御手段とを備え、前記制御手段は、前記記憶手段に記憶されたチャンネルを前記第１の受信手段において選局させ、前記信号検出手段において当該チャンネルの地上デジタルテレビジョン放送信号が検出されなかった場合に、当該チャンネルは地上デジタルテレビジョン放送チャンネルではないと判断することを特徴とする地上デジタルテレビジョン放送受信装置。
【請求項２】
地上アナログテレビジョン放送信号を受信する第２の受信手段と、前記第２の受信手段での地上アナログテレビジョン放送信号の有無を検出する第２の信号検出手段とを更に備え、制御手段は、記憶手段に記憶したチャンネルを前記第２の受信手段において選局させ、前記第２の信号検出手段において当該チャンネルの地上アナログテレビジョン放送信号を検出した場合に、当該チャンネルは地上デジタルテレビジョン放送チャンネルではないと判断することを特徴とする請求項１記載の地上デジタルテレビジョン放送受信装置。
【発明の詳細な説明】
【０００１】
【発明の属する技術分野】
本発明は、地上デジタルテレビジョン放送に用いる受信装置に関する。
【０００２】
【従来の技術】
近年、放送メディアのデジタル化に伴い、地上デジタルテレビジョン放送が開始されている。地上デジタルテレビジョン放送では放送局側の送出情報として、他局の情報を送出しないことが想定される。（例えば、非特許文献１参照。）従って、地上デジタルテレビジョン放送受信装置では、設置地点での全チャンネルのサーチを行い、地上デジタルテレビジョン放送が受信可能なチャンネルリストを構築する必要がある。
【０００３】
地上デジタルテレビジョン放送受信装置では、受信可能なチャンネルリストを構築する際、チャンネルの受信有無の判断をＴＳ（Ｔｒａｎｓｐｏｒｔ  Ｓｔｒｅａｍ）の受信有無で行っている。そのため、一定時間内にＴＳが受信できない場合は受信不可と判断して次のチャンネルサーチを行う。
【０００４】
上記場合、送出される伝送モードや設置地点における受信環境の影響などによりＴＳが受信できるまでの時間が一定ではないため、受信不可と判断する時間は余裕を持った値を設定している。
【０００５】
【非特許文献１】
ＡＲＩＢ  ＴＲ−Ｂ１４  第二編ｖｅｒ１．１  地上デジタルテレビジョン放送受信機機能仕様書（１０項  ６．２．１初期スキャン）
【０００６】
【発明が解決しようとする課題】
しかしながら、上記従来の地上デジタルテレビジョン放送受信装置では、受信不可と判断する時間を余裕を持った値に設定しているため、全チャンネルのスキャンを行うと相当の時間を要するという問題があった。
【０００７】
本発明は、上記事情に鑑みて成されたもので、ＴＳ受信によるチャンネルの受信不可の判断を行う前に地上デジタルテレビジョン放送の信号有無の検出を行い、当該信号が検出されなかった場合にチャンネル受信不可と判断する、あるいはＴＳ受信によるチャンネルの受信不可の判断を行う前に地上アナログテレビジョン放送の受信を行い、当該信号が検出された場合に地上デジタルテレビジョン放送のチャンネル受信不可と判断することが可能な地上デジタルテレビジョン放送受信装置を提供することを目的とする。
【０００８】
【課題を解決するための手段】
本発明の請求項１に係る地上デジタルテレビジョン放送受信装置は、地上デジタルテレビジョン放送信号を受信する第１の受信手段と、第１の受信手段での地上デジタルテレビジョン放送信号の有無を検出する第１の信号検出手段と、チャンネルリストを記憶する記憶手段と、第１の受信手段、第１の信号検出手段及び記憶手段を制御する制御手段とを備え、制御手段は、記憶手段に記憶されたチャンネルを第１の受信手段において選局させ、信号検出手段において当該チャンネルの地上デジタルテレビジョン放送信号が検出されなかった場合に、当該チャンネルは地上デジタルテレビジョン放送チャンネルではないと判断することを特徴とする。
【０００９】
また、本発明の請求項２に係る地上デジタルテレビジョン放送受信装置は、請求項１の構成において、地上アナログテレビジョン放送信号を受信する第２の受信手段と、第２の受信手段での地上アナログテレビジョン放送信号の有無を検出する第２の信号検出手段とを更に備え、制御手段は、記憶手段に記憶したチャンネルを第２の受信手段において選局させ、第２の信号検出手段において当該チャンネルの地上アナログテレビジョン放送信号を検出した場合に、当該チャンネルは地上デジタルテレビジョン放送チャンネルではないと判断することを特徴とする。
【００１０】
【発明の実施の形態】
（実施の形態１）
図１は、本発明の実施の形態１における地上デジタルテレビジョン放送受信装置のハードウェアのブロック図である。
【００１１】
地上デジタルテレビジョン放送受信装置は、地上デジタルテレビジョン放送を受信し、チャンネルに応じた周波数を選局する地上デジタルＴｕｎｅｒ１００と、地上アナログテレビジョン放送を受信し、チャンネルに応じた周波数を選局する地上アナログＴｕｎｅｒ１０１と、信号有無を検出する信号検出装置１０２と、変調されている信号を復調する復調器１０３と、ＴＳをデコードするＴＳ  Ｄｅｃｏｄｅｒ１０４と、復調された信号から映像信号・音声信号をデコードするＡＶ  Ｄｅｃｏｄｅｒ１０５と、デコードされた映像信号をＮＴＳＣ信号形式に変調するＮＴＳＣ  Ｅｎｃｏｄｅｒ１０６と、プログラムやユーザ固有の情報を格納する記憶装置であるＦｌａｓｈＲＯＭ１０７と、ユーザ固有の情報や地上デジタルテレビジョン放送受信装置のシステム設定情報などを格納する記憶装置であるＥＥＰＲＯＭ１０８と、プログラムの内部情報などを格納する記憶装置であるＲＡＭ１０９と、電話回線を通じてデータの送受信を行うＭｏｄｅｍ１１１と、限定受信を実現するＩＣ  Ｃａｒｄ装置１１２と、地上デジタルテレビジョン放送受信装置自体をシステムバス１１３を通じて制御するＣＰＵ１１０から構成される。
【００１２】
ここで、図２のフローチャートを用いて本発明の実施の形態１の処理を説明する。
【００１３】
まず、最初にスキャンを開始するチャンネルを設定し（ステップ２１）、設定されたチャンネルの周波数を地上デジタルＴｕｎｅｒ１００にて選局する（ステップ２３）。そして、信号検出装置１０２から信号有無の情報を読み出す（ステップ２４）。
【００１４】
上記処理において信号が検出されなかった場合は（ステップ２４で無）、選局した現在のチャンネルは受信不可と判断して全チャンネルのサーチが終了したか否かを判定し（ステップ２８）、全チャンネルのサーチが終了するまで（ステップ２８でＮｏ）、次にスキャンするチャンネルを設定して（ステップ２２）、上記処理（ステップ２２からステップ２８）を繰り返す。ここで、信号検出装置１０２は、地上デジタルＴｕｎｅｒ１００のＡＧＣ（自動利得制御）回路電圧を検出することで可能となる。
【００１５】
一方、信号が検出された場合は（ステップ２４で有）、復調器１０３あるいはＴＳ  Ｄｅｃｏｄｅｒ１０４からＴＳ受信ができているか否かを読み出す（ステップ２５）。ＴＳ受信ができている場合は（ステップ２５でＹｅｓ）、選局した現在のチャンネルをチャンネルリストに追加し（ステップ２７）、全チャンネルのサーチが終了するまで（ステップ２８でＮｏ）、次にスキャンするチャンネルを設定して（ステップ２２）、上記処理（ステップ２２からステップ２８）を繰り返す。
【００１６】
ＴＳ受信ができていない場合は（ステップ２５でＮｏ）、一定時間が経過するまでＴＳ受信を行い（ステップ２６でＮｏ、ステップ２５）、一定時間経過後は（ステップ２６でＹｅｓ）、選局した現在のチャンネルは受信不可と判断して、全チャンネルのサーチが終了したか否かを判定し（ステップ２８）、全チャンネルのサーチが終了するまで（ステップ２８でＮｏ）、次にスキャンするチャンネルを設定して（ステップ２２）、上記処理（ステップ２２からステップ２８）を繰り返す。
【００１７】
（実施の形態２）
本発明の実施の形態２を図１、図３を用いて説明する。本発明の実施の形態２は、実施の形態１の信号有無検出の代わりに地上アナログ放送の受信検出を行う。以下に図３のフローチャートを用いて、本発明の実施の形態２の処理を説明する。
【００１８】
まず、最初にスキャンを開始するチャンネルを設定し（ステップ３１）、設定されたチャンネルの周波数を地上アナログＴｕｎｅｒ１０１にて選局する（ステップ３２）。そして、地上アナログＴｕｎｅｒ１０１から地上アナログテレビジョン放送の受信情報を読み出す（ステップ３４）。
【００１９】
上記処理において地上アナログテレビジョン放送の受信情報が受信できている場合は（ステップ３４でＹｅｓ）、選局した現在のチャンネルの地上デジタルテレビジョン放送は受信不可と判断して全チャンネルのサーチが終了したか否かを判定し（ステップ３９）、全チャンネルのサーチが終了するまで（ステップ３９でＮｏ）、次にスキャンするチャンネルを設定して（ステップ３３）、上記処理（ステップ３２からステップ３９）を繰り返す。
【００２０】
一方、受信ができていない場合は（ステップ３４でＮｏ）、選局された現在のチャンネルの周波数を地上デジタルＴｕｎｅｒ１００にて選局する（ステップ３５）。そして、復調器１０３あるいはＴＳ  Ｄｅｃｏｄｅｒ１０４からＴＳ受信ができているか否かを読み出す（ステップ３６）。ＴＳ受信ができている場合は（ステップ３６でＹｅｓ）、選局した現在のチャンネルをチャンネルリストに追加し（ステップ３８）、全チャンネルのサーチが終了するまで（ステップ３９でＮｏ）、次にスキャンするチャンネルを設定して（ステップ３３）、上記処理（ステップ３２からステップ３９）を繰り返す。
【００２１】
ＴＳ受信ができていない場合は（ステップ３６でＮｏ）、一定時間が経過するまでＴＳ受信を行い（ステップ３７でＮｏ、ステップ３６）、一定時間経過後は（ステップ３７でＹｅｓ）、選局した現在のチャンネルは受信不可と判断して、全チャンネルのサーチが終了したか否かを判定し（ステップ３９）、全チャンネルのサーチが終了するまで（ステップ３９でＮｏ）、次にスキャンするチャンネルを設定して（ステップ３３）、上記処理（ステップ３２からステップ３９）を繰り返す。
【００２２】
なお、本実施の形態では、チャンネル毎に地上アナログテレビジョン放送の選局と地上デジタルテレビジョン放送の選局を行っているが、地上アナログテレビジョン放送として受信可能な全チャンネルのスキャンを行い、その後に、地上アナログテレビジョン放送として受信不可能であったチャンネルのみで地上デジタルテレビジョン放送のチャンネルスキャンを行うようにしてもよい。
【００２３】
なお、本発明では、信号検出装置１０２は、地上デジタルＴｕｎｅｒ１００のＡＧＣ（自動利得制御）回路電圧を検出することで実現しているが、地上アナログＴｕｎｅｒ１０１でもよい。また、本発明は上記した実施の形態に限定されるものではない。
【００２４】
また、本発明の機能は、所定のプログラムによって実現され、これをフロッピー（Ｒ）ディスク等の記録媒体に記録して移送することにより、独立した他のコンピュータ・システムで容易に実施することができ、また製品においては、内蔵するメモリーに該プログラムが書き込まれ、受信装置のハードキーあるいはリモコンによりユーザが操作を行うことができる。
【００２５】
【発明の効果】
以上のように本発明の地上デジタルテレビジョン放送受信装置によれば、チャンネルの受信不可の判断をＴＳ受信以外の判断で行うことにより、スキャンの高速化、チャンネルリストの構築に懸かる時間の削減が実現できる。
【図面の簡単な説明】
【図１】本発明の実施の形態における地上デジタルテレビジョン放送受信装置のハードウェアのブロック図
【図２】本発明の実施の形態１の処理を示すフローチャート
【図３】本発明の実施の形態２の処理を示すフローチャート
【符号の説明】
１００  地上デジタルＴｕｎｅｒ
１０１  地上アナログＴｕｎｅｒ
１０２  信号検出装置
１０３  復調器
１０４  ＴＳ  Ｄｅｃｏｄｅｒ
１０５  ＡＶ  Ｄｅｃｏｄｅｒ
１０６  ＮＴＳＣ  Ｅｎｃｏｄｅｒ
１０７  ＦｌａｓｈＲＯＭ
１０８  ＥＥＰＲＯＭ
１０９  ＲＡＭ
１１０  ＣＰＵ
１１１  Ｍｏｄｅｍ
１１２  ＩＣ  Ｃａｒｄ装置
１１３  システムバス
【図１】
2004282211.tif 000003
【図２】
2004282211.tif 000004
【図３】
2004282211.tif 000005